(57)【特許請求の範囲】
【請求項１】
観覧かご（１）を案内する環状固定フレーム（Ｋ）が略縦長状長円形であると共に該環状固定フレーム（Ｋ）の最下部が建物（Ｂ）の中間階（１０）に対応するように付設される観覧車（１５）と、該観覧車（１５）の乗車料金と飲食料金とを合算した利用券を発行するためにプラットホーム（Ｐ）の近傍に配設した発券手段（８）と、該プラットホーム（Ｐ）の近傍に設けられて上記利用券によってトレー（９）と共に飲食物を提供する飲食物提供施設（Ｅ）と、を具備し、
上記観覧車（１５）は、該環状固定フレーム（Ｋ）を上記建物（Ｂ）の鉄骨フレーム（Ｔ）自体乃至鉄骨フレーム（Ｔ）からの延長部にて支持固定され、かつ、上記環状固定フレーム（Ｋ）の内側に上記建物（Ｂ）の一部（Ｇ）が張出すように構成され、
さらに、上記飲食物提供施設（Ｅ）にて提供されるトレー（９）には、飲物用コップ（１６）を挿入する保持孔（１７）及び食物を置く凹所（１８）が形成されると共に下方突出状の突片部（１９）が垂設され、かつ、観覧かご（１）内に、上記トレー（９）の突片部（１９）を着脱自在に取着可能なトレー保持部（２１）を有し、上記環状固定フレーム（Ｋ）に沿って搬送される観覧かご（１）内に上記飲食物を乗せたトレー（９）を持ち込んで、飲食しながら高所から観覧するように構成したことを特徴とする高所観覧装置。
【請求項２】
観覧かご（１）を案内する環状固定フレーム（Ｋ）が略縦長状長円形であると共に該環状固定フレーム（Ｋ）の最下部が建物（Ｂ）の中間階（１０）に対応するように付設される観覧車（１５）と、該観覧車（１５）の乗車料金と飲食料金とを合算した利用券を発行するためにプラットホーム（Ｐ）の近傍に配設した発券手段（８）と、該プラットホーム（Ｐ）よりも高い階であって上記観覧かご（１）の運動軌跡の下半部において建物（Ｂ）から該観覧かご（１）へトレー（９）と共に飲食物を受け渡す飲食物受渡手段（Ｚ）と、を具備し、
上記観覧車（１５）は、該環状固定フレーム（Ｋ）を上記建物（Ｂ）の鉄骨フレーム（Ｔ）自体乃至鉄骨フレーム（Ｔ）からの延長部にて支持固定され、かつ、上記環状固定フレーム（Ｋ）の内側に上記建物（Ｂ）の一部（Ｇ）が張出すように構成され、
さらに、上記飲食物受渡手段（Ｚ）にて提供されるトレー（９）には、飲物用コップ（１６）を挿入する保持孔（１７）及び食物を置く凹所（１８）が形成されると共に下方突出状の突片部（１９）が垂設され、かつ、観覧かご（１）内に、上記トレー（９）の突片部（１９）を着脱自在に取着可能なトレー保持部（２１）を有し、上記飲食物受渡手段（Ｚ）が、上記飲食物を乗せたトレー（９）を、上記環状固定フレーム（Ｋ）に沿って搬送される観覧かご（１）の移動スピードと同調して移動させつつ該観覧かご（１）内へ受け渡しして、飲食しながら高所から観覧するように構成したことを特徴とする高所観覧装置。
【発明の詳細な説明】
【０００１】
【発明の属する技術分野】
本発明は、高所観覧装置に関する。
【０００２】
【従来の技術】
従来の観覧車は、地上又は建物の屋上に設置された支持枠に、回転自在に円形環体を枢支し、この円形環体に多数の観覧かごを吊下げていた。
【０００３】
【発明が解決しようとする課題】
しかし、回転する円形環体の内側に、補強杆が多数設けられているために、その内側空間を利用することはできなかった。そして、観覧車の設置には、円形環体の直径に応じた広い設置面スペースを要していた。また、従来から観覧車のための利用券は、観覧車の乗車券のみであり、原則的に観覧かご内での飲食は禁止されており、飲食をしながら高所からの観覧はできないこととなっていた。
【０００４】
そこで、本発明は、狭い設置面スペースに設置可能で、眺望に優れ、さらに、飲食しながら簡便に高所からの眺望を楽しめるようにすることを、目的とする。
【０００５】
【課題を解決するための手段】
上記目的を達成するため、本発明に係る高所観覧装置は、観覧かごを案内する環状固定フレームが略縦長状長円形であると共に該環状固定フレームの最下部が建物の中間階に対応するように付設される観覧車と、該観覧車の乗車料金と飲食料金とを合算した利用券を発行するためにプラットホームの近傍に配設した発券手段と、該プラットホームの近傍に設けられて上記利用券によってトレーと共に飲食物を提供する飲食物提供施設と、を具備し、上記観覧車は、該環状固定フレームを上記建物の鉄骨フレーム自体乃至鉄骨フレームからの延長部にて支持固定され、かつ、上記環状固定フレームの内側に上記建物の一部が張出すように構成され、さらに、上記飲食物提供施設にて提供されるトレーには、飲物用コップを挿入する保持孔及び食物を置く凹所が形成されると共に下方突出状の突片部が垂設され、かつ、観覧かご内に、上記トレーの突片部を着脱自在に取着可能なトレー保持部を有し、上記環状固定フレームに沿って搬送される観覧かご内に上記飲食物を乗せたトレーを持ち込んで、飲食しながら高所から観覧するように構成したものである。
【０００６】
また、観覧かごを案内する環状固定フレームが略縦長状長円形であると共に該環状固定フレームの最下部が建物の中間階に対応するように付設される観覧車と、該観覧車の乗車料金と飲食料金とを合算した利用券を発行するためにプラットホームの近傍に配設した発券手段と、該プラットホームよりも高い階であって上記観覧かごの運動軌跡の下半部において建物から該観覧かごへトレーと共に飲食物を受け渡す飲食物受渡手段と、を具備し、上記観覧車は、該環状固定フレームを上記建物の鉄骨フレーム自体乃至鉄骨フレームからの延長部にて支持固定され、かつ、上記環状固定フレームの内側に上記建物の一部が張出すように構成され、さらに、上記飲食物受渡手段にて提供されるトレーには、飲物用コップを挿入する保持孔及び食物を置く凹所が形成されると共に下方突出状の突片部が垂設され、かつ、観覧かご内に、上記トレーの突片部を着脱自在に取着可能なトレー保持部を有し、上記飲食物受渡手段が、上記飲食物を乗せたトレーを、上記環状固定フレームに沿って搬送される観覧かごの移動スピードと同調して移動させつつ該観覧かご内へ受け渡しして、飲食しながら高所から観覧するように構成したものである。
【０００７】
【発明の実施の形態】
以下、実施の形態を示す図面に基づき、本発明を詳説する。
【０００８】
図１及び図２に於て、本発明に係る高所観覧装置を例示し、15は観覧車であって、この観覧車15は、建物Ｂに付設され、観覧かご１…を案内する環状固定フレームＫが略縦長状長円形とされる。回転軸心が存在しない構造のため、観覧車15の幅寸法Ｗ0 を、建物Ｂの水平方向の長さ寸法Ｗb に対応して、略同一以下の幅寸法Ｗ0 に、自由に、設定することができる。
【０００９】
環状固定フレームＫの最下部は建物Ｂの中間階10に対応する。よって、建物Ｂの中間階10にて、観覧車に乗り降りすることができる。
２は、上面２ａに観覧車15の乗り場３が付設される支持部であって、地面Ｓから立設される。支持部２によって、観覧車15を、既設の建物Ｂの側面に付設することができる。なお、図２のように補強フレーム５…を屋上等と連結するのが良い。勿論、建物Ｂと観覧車15を、図１・図２のように、共に新設することも好ましい。
【００１０】
簡略図にて示した図３及び図４に示すように、この観覧車15は、環状固定フレームＫの内側に建物Ｂの一部Ｇが張出すように構成される。すなわち、環状固定フレームＫの内側の空間を有効利用するように、建物Ｂの上方の階の一部Ｇが、張出して構成される。
【００１１】
そして、建物Ｂの鉄骨フレームＴ自体乃至鉄骨フレームＴからの延長部にて、環状固定フレームＫが、支持固定される。地面Ｓ（図１参照）から支持フレームを全て立ち上げる場合と比較して、環状固定フレームＫの支持フレームの軽量化・合理化・簡略化を図ることができる。
【００１２】
図５及び図６は、他の例を示し、この観覧車15は、乗り場３が、建物Ｂの中間階10から外方へ突出状に連設されている。図１と図２のように支持部２を立設する場合と比較して、容易に付設することができるとともに、地面Ｓ側の（下方の）空間を有効に利用することが可能になる。
【００１３】
特に、図５・図６は建物Ｂと観覧車との融合した一体デザイン化が進んで外観（美感）上、優れたものである。そして、建物Ｂの鉄骨フレームＴと、環状固定フレームＫとの、一体化乃至連結が、強固に実施可能な構造となっている。すなわち、建物Ｂの張出した一部Ｇに於て、建物Ｂの鉄骨フレームＴ自体が、観覧車の環状固定フレームＫと、区別できない程度まで、融合一体化することも可能である。
【００１４】
そして、建物Ｂの張出した上記の一部Ｇを含む階を、展望レストランやテーマタウンやアミューズメントフロア等とすることが、望ましい。
【００１５】
図７と図８は、別の例を示し、環状固定フレームＫの最下部が、建物Ｂを貫通状に設置される。つまり、建物Ｂは、貫通部Ａを有し、この貫通部Ａを貫通状に、環状固定フレームＫが設置される。
【００１６】
この貫通部Ａ内に乗り場３を設けるが、そのようにすれば、部屋の中から観覧かご１に乗る感じを乗客に与え得て、観覧かごに乗込んで外方へ出る際、風景が一変するという味わい方を実現できる。かつ、雨のときにも、傘を要さずに、乗り降りできる利点もある。
【００１７】
なお、図１又は図５に於て、（詳細は図示省略したが、）各観覧かご１は、かご支持枠11…と、複数の車輪を備え、その車輪が、環状固定フレームＫの外周側のレール部12に沿って、転動しつつ、かご支持枠11及び観覧かご１を、走行案内する。また、観覧かご１は、かご支持枠11の先端の案内円形枠に保持されて回転可能であり、又は、水平軸心廻りに回転自在に支持枠11の先端に吊下げられている。
【００１８】
そして、全てのかご支持枠11は、チェーン等の連結部材にて、順次、連結されていて、減速機付きの駆動モータと挾持タイヤ等によって、上記連結部材を、環状固定フレームＫに沿って搬送させることによって、観覧かご１…は、ゆっくりと送りが付与される。
【００１９】
そして、図９、及び、図１〜図８に於て、乗り場３と降り場７を構成するプラットホームＰの近傍には、発券手段８が配設される。発券手段８としては、観覧車15の乗車料金と飲食料金───コーヒーや紅茶やジュース等の飲料や、パンや菓子やハンバーガー等の食物用の料金───とを合算した利用券を発行するための自動発券機又は人の手による販売所等から、成る。
【００２０】
しかも、上記プラットホームＰの近傍に、上記（共通）利用券によって飲食物をトレー９と共に提供する飲食物提供施設Ｅを、備えている。即ち、図９に示すように、プラットホームＰの近傍にて、乗客は、合算利用券を発券手段８にて入手し、次に、飲食物提供施設Ｅとしてのレストラン等の食物販売店や自動飲食物販売機等に於て、トレー９にのった飲食物を、手で持って、プラットホームＰの乗り場３にて、図９の矢印Ｃのように動いて来る観覧かごに乗り込む。
【００２１】
ところで、トレー９としては、例えば図10に示すように、飲物用コップ16を挿入する保持孔17、及び、お弁当やサンドウィッチやパン等を置く浅い凹所18とを有し、かつ、下方に突片部19が垂設されていて、（図10と図11に示すように、）観覧かご内の（座席の横の）肘掛け20や段付面等に形成した差込スリット等のトレー保持部21に、突片部19を差込んで、トレー９を、着脱自在に取着できる。
【００２２】
なお、水平軸心Ｌ廻りに、肘掛け20を揺動して、起立したり水平状に切換えて、その肘掛け20にスリット状トレー保持部21を形成しておくと、不使用時の邪魔とならないので便利である。
また、図９等に示すように、プラットホームＰ（の降り場７）の近傍に、返却施設22を設けて、乗客は観覧かごからトレーと（飲んだり食べた後の）コップや食器等を、この返却施設22へ返却するように構成する。
【００２３】
上述の説明からも分かるように、高所観覧方法は、観覧車15の乗車料金と飲食料金とを合算した利用券をプラットホームＰ近傍の発券手段８にて発行し、乗客は利用券を用いて、プラットホームＰの近傍の飲食物提供施設Ｅにて飲食物に交換し（買って）、観覧かご１内へ、トレー９と共に飲食物を持ち込み、観覧かご１内でトレー９を着脱自在にトレー保持部21に取着し、（観覧かご１の上昇に伴って）飲食しながら高所から、風景等の観覧が可能であり、その後、下降して降り場７（プラットホームＰ）にては、トレー９を持って観覧かご１から降りるようにし、かつプラットホームＰ近傍の返却施設22へ、トレー９と食器等を返却する（高所観覧）方法である。
【００２４】
次に、本発明の他の実施の形態について説明する。
図１と図２に２点鎖線にて示すように、建物Ｂに於て、プラットホームＰよりも高い階に、建物Ｂから観覧かご１へ飲食物を受け渡す飲食物受渡手段Ｚを、設けるも、好ましい。つまり、観覧かご１の運動軌跡の下半部において、建物Ｂの側面に、飲食物受渡手段Ｚを、設けるのであるが、例えば、観覧かご１の移動スピードと同調して移動する受渡アーム及び落下防止受け板（送り筒部）を、建物Ｂの対応側面に付設して、観覧かご１の窓部へ、供給する。
【００２５】
このようにして、高所観覧方法の他の例としては、建物Ｂに観覧車15を付設して、観覧車15の観覧かご１の運動軌跡の下半部を、建物Ｂの一部に、対応させて、飲食物の該観覧かご１への受け渡しを可能とし、さらに、観覧車15の乗車料金と飲食料金とを合算した利用券を発行し、観覧車15の観覧かご１内へ上記建物Ｂの一部から飲食物を受け渡しして、観覧車15の観覧かご１内で飲食しながら高所から観覧可能とした方法を、挙げることができる。
【００２６】
なお、図１と図２に２点鎖線にて示すように、トレー９と食器等の返却手段Ｙを、降り場７（プラットホームＰ）の近くに於ける建物Ｂの側面に、設ける。
【００２７】
本発明の上述の図示の実施の形態によれば、次に記載する効果を奏する。
つまり、環状固定フレームＫの内側空間を建物Ｂの一部として利用することができる。また、観覧かご１…の数に比して狭い設置面スペースに設置可能である。特に、幅が狭くて、高さに余裕がある場合に好適である。また、建物Ｂの水平方向の長さ寸法Ｗb に対応して、略同一以下の狭い幅寸法Ｗ0 に、自由に、設定することができる。また、回転軸心が存在しない構造のため、建物Ｂを貫通させることができる。部屋の中から乗る感じが出せる。また、観覧かご１に乗った後、建物Ｂの外方へ出るときに、風景が変化する味わい方が出来る。雨の日も、傘を必要としない。また、観覧車用の保持鉄骨が、建物Ｂの鉄骨フレームＴ自体乃至鉄骨フレームＴからの延長部を活用できて、地面Ｓから立上げるよりも、容易・簡略化することができる。
【００２８】
【発明の効果】
本発明は上述の構成により次のような著大な効果を奏する。
従来の地上の（又は地下の）喫茶店での飲食に比して、高所観覧も同時に楽しめるので割安感があり、都会に於て特に好適なものである。
また、飲食物やトレー９を持っているにかかわらず、観覧かご１への乗り込みと降りるのがスムースにできる。
また、一層高所観覧の雰囲気が盛り上り、斬新な飲食の楽しみ感を与え得る。
また、トレー９をひっくり返したりすることなく、安定してコップや飲食物を保持できて、楽しく高所観覧を実現できる。かつ、乗客に割安感を与え得る。
【図面の簡単な説明】
【図１】  本発明の実施の形態を示す正面図である。
【図２】  側面図である。
【図３】  説明用簡略斜視図である。
【図４】  説明用簡略平面図である。
【図５】  他の実施の形態を示す正面図である。
【図６】  側面図である。
【図７】  別の実施の形態を示す簡略斜視図である。
【図８】  要部断面簡略正面図である。
【図９】  要部平面説明図である。
【図10】  要部説明用斜視図である。
【図11】  観覧かごの一例を示す正面図である。
【符号の説明】
１  観覧かご
８  発券手段
９  トレー
10  中間階
15  観覧車
21  トレー保持部
Ｂ  建物
Ｅ  飲食物提供施設
Ｇ  一部
Ｋ  環状固定フレーム
Ｐ  プラットホーム
Ｔ  鉄骨フレーム
Ｚ  飲食物受渡手段
【図１】
0004856817.tif 000002
【図２】
0004856817.tif 000003
【図３】
0004856817.tif 000004
【図４】
0004856817.tif 000005
【図５】
0004856817.tif 000006
【図６】
0004856817.tif 000007
【図７】
0004856817.tif 000008
【図８】
0004856817.tif 000009
【図９】
0004856817.tif 000010
【図１０】
0004856817.tif 000011
【図１１】
0004856817.tif 000012